(57)【特許請求の範囲】
【請求項１】
建築用足場に設ける階段の非昇降口側に形成される空間の上面を斜状に塞ぐための塞ぎ板であって、当該塞ぎ板(1)は、一方の底角(ａ)が直角であり、上底(ｂ)が下底(ｃ)より小さくして成る台形状を呈するものとし、
上記した下底(ｃ)には固定用Ｕ字金具(２，２)を取り付け、上記した上底(ｂ)にはその全長に亘る長さを具えた鞘管(３)を固設し、基端にクランプ(５)を取り付けた取付け用ボルト(４)を当該鞘管(３)に挿通すると共に、その先端に締着用ナット(６)を螺着し、
所要の構成足場に対して、前記Ｕ字金具(２，２)の掛け止めと上記クランプ(５)による緊締とを夫々施すことにより、塞ぎ板(１)を、前記した非昇降口側空間の上面に対して水平状態で支持した階段開口部塞ぎ板。
【請求項２】
塞ぎ板(１)を表裏何れの面も利用可能とする形態で形成すると共に、鞘管(３)に挿通した取付け用ボルト(４)の先端に対する締着用ナット(６)の螺着に、所定の締め残し代(Ｍ)を設けた請求項１に記載の階段開口部塞ぎ板。
【請求項３】
塞ぎ板(１)における斜状の対辺(ｅ)の縁部をアール状部(７)とするように構成した請求項１または請求項２の何れかに記載の階段開口部塞ぎ板。
【発明の詳細な説明】
【技術分野】
【０００１】
本発明は、建築用足場に設ける階段の非昇降口側に形成される空間の上面を斜状に塞ぐための「階段開口部塞ぎ板」に関する。
【背景技術】
【０００２】
建築用足場内に階段を設ける箇所に於いて、階段脇及び階段の非昇降側の空間から落下する、と言うような事故発生が予想される。  階段脇に関しては手摺を付けることに依って、安全性の確保が成されるが、階段の非昇降側の空間に関する対応策としては、一般社団法人仮設工業会からの危険性の問題視発表もあり、各社各種なものが提案されているが、現場にて容易に取付けられるものは存在しない。
【０００３】
従来の手段としては、「枠組み足場の階段開口部手摺の桁材に平行に対峙する第一辺を有し、非昇降口側端部に形成される隙間を塞ぐことができる略三角形状の隙間塞ぎ材であって、隙間塞ぎ材を階段手摺の桁材に対して垂直方向に回転可能に取付けることができる取付金具を第一辺またはその延長部に有するように構成した隙間塞ぎ材」がある（例えば特許文献１参照。）。
【０００４】
その他の手段として、階段開口手摺に塞ぎ材を固定すると共に、足場の横架材に当該塞ぎ材本体を乗せるように構成したもの、或は、足場の横架材にフックをかけ、ズレ止めのために階段開口手摺の下桟と布板でズレ止めを挟み込むものが存在する。
【先行技術文献】
【特許文献】
【０００５】
【特許文献１】特開２００９−２２８３３４号公報
【発明の概要】
【発明が解決しようとする課題】
【０００６】
特許文献１に示すものは隙間塞ぎ材が略三角形状のものであるため、先細り部分が存在して面積的に狭いものとされるばかりでなく、交差する二辺で支持するものであるため、対向部分に対して強い荷重が働いた際、回転モーメントが働き易く、負荷に耐える堅牢性確保の点で疑問が生じるものである。
【０００７】
また、前記した「階段開口手摺に塞ぎ材を固定すると共に、足場の横架材に当該塞ぎ材本体を乗せるように構成したもの」にあっては、吹き上がりに対しては番線固定を要するため、解体時に番線の切り屑が発生する上、高所にて外した番線の落下事故等の問題が予想される。
【０００８】
更に、前記した「足場の横架材にフックをかけ、ズレ止めのために階段開口手摺の下桟と布板でズレ止めを挟み込むもの」にあっては、設置時に布板を後付しなければならず、また、左右勝手違いに対して別部材で対応する必要があるため、一つの用途で２種類の材料を保有する必要があり、稼働率の低下、運用の手離れの悪さ、材料の入れ替えの発生等、現場にとっても保有する側にとっても厄介な問題となることを余儀なくされた。
【０００９】
本発明は、上記のような問題を解決した新規の「階段開口部塞ぎ板」の提供を図ったものである。
【課題を解決するための手段】
【００１０】
削る
【００１１】
本発明は請求項１に記載のように、建築用足場に設ける階段の非昇降口側に形成される空間の上面を斜状に塞ぐための塞ぎ板１であって、当該塞ぎ板1は、一方の底角ａが直角であり、上底ｂが下底ｃより小さくして成る台形状を呈するものとし、
上記した下底ｃには固定用Ｕ字金具２，２を取り付け、上記した上底ｂにはその全長に亘る長さを具えた鞘管３を固設し、基端にクランプ５を取り付けた取付け用ボルト４を当該鞘管３に挿通すると共に、その先端に締着用ナット６を螺着し、
所要の構成足場に対して、前記Ｕ字金具２，２の掛け止めと上記クランプ５による緊締とを夫々施すことにより、塞ぎ板１を、前記した非昇降口側空間の上面に対して水平状態で支持した階段開口部塞ぎ板に係る。
【００１２】
本発明は請求項２に記載のように、塞ぎ板１を表裏何れの面も利用可能とする形態で形成すると共に、鞘管３に挿通した取付け用ボルト４の先端に対する締着用ナット６の螺着に、所定の締め残し代Ｍを設けた請求項１に記載の階段開口部塞ぎ板を実施の態様とする。
【００１３】
本発明は請求項３に記載のように、塞ぎ板１における斜状の対辺ｅの縁部をアール状部７とするように構成した請求項１または請求項２の何れかに記載の階段開口部塞ぎ板を実施の態様とする。
【発明の効果】
【００１４】
本発明は請求項1に記載のような構成、すなわち、塞ぎ板1として、一方の底角ａが直角であり、上底ｂが下底ｃより小さく、そして、直角の底角ａに連なる対辺ｄが非昇降口側空間の側縁部に合致可能とする寸法に設定した台形状を呈するものとするように構成したから、安全のための塞ぎ面積が、従来のような直角三角形状のものに比して著しく広くすることが出来、安全性確保の充実化が図られる。
【００１５】
そして、従来の直角三角形状のものであると、その支持縁は直角方向である２辺において支持せざるを得ない関係上、斜辺部分に強い力が働いた際に回転モーメントが働き、傾倒または破損し易いと言うような心配が必然伴うものである。
これに対して、本発明は塞ぎ板を台形状に形成したものであるから、その支持を互いに平行する辺である下底と上底で行うことが出来る。  従って、その支持形態は従来のものに比して著しく安定しかつ堅牢化される。  
【００１６】
本発明は請求項１に記載のような構成、すなわち、「下底ｃには固定用Ｕ字金具２，２を取り付け、上記した上底ｂにはその全長に亘る長さを具えた鞘管３を固設し、基端にクランプ５を取り付けた取付け用ボルト４を当該鞘管３に挿通すると共に、その先端に締着用ナット６を螺着することに依って当該クランプ５の安定化を図り、所要の構成足場に対して、前記Ｕ字金具２，２の掛け止めと上記クランプ５による緊締とを夫々施すことにより、塞ぎ板１を、前記した非昇降口側空間の上面に対して水平状態で支持するように」構成したから、塞ぎ板1の支持形態を並行する下底と上底とで行うことが可能化される。  従って、その支持形態は従来のものに比して著しく安定かつ堅牢化される。  
【００１７】
更に、このようなクランプの止め着手段をとることにより、通常はクランプを取り付けた状態で使用に供するも、クランプが破損した場合は、締着用ナット６を外してボルト４を抜き取ることにより、当該クランプを市販品として存在する新たなクランプに取り換える、と言うような作業を行うことが可能化される。
すなわち、クランプ自体は過酷な取扱い等に基づき変形または破壊し易い部材に属するものであり、従来、足場等にあっては、クランプの取付けを溶接に依存し、クランプの破損はこれを取り付けている部材全体の破損とみなして全損的廃棄処分とされていた。
これに対して本発明にあっては、上記のような取り換え作業を施すことが出来るように構成したから、クランプの不具合も部品交換というような修理形態を採ることが出来、部材の低コスト化が図られる。
【００１８】
また、取付け用部材として汎用性のある部材であるクランプを用いるように構成したから、作業員が常備する工具による脱着操作が可能であり、かつ、脱着に特異な手段を必要としないため、作業の確実性及び容易性を図ることが出来る。
【００１９】
本発明は請求項２に記載のように、塞ぎ板１を表裏何れの面も利用可能とする形態で形成すると共に、鞘管３に挿通した取付け用ボルト４の先端に対する締着用ナット６の螺着を、所定の締め残し代Ｍを設けて、クランプ５の定位置回転が可能化されるように構成することにより、階段の上り口が足場のどちら側にきても、クランプ５を反転させることにより（結果的には塞ぎ板１を裏返した状態となる。)、勝手違いに対応することができる。  従って、従来のように、これに対応するために、左右二つの方式のものを用意する必要がなく、使い勝手の著しい合理化、簡便化が図られる。
更に、締め残し代Ｍを設けたため、クランプの操作位置を任意に調節することが出来る。  従って、固定用Ｕ字金具２，２の採用と相俟って、取付け操作を下側から行うようにすることも可能であるため、立ったままの楽な姿勢での脱着することが出来、作業の効率化及び安全性の向上が実現される。
【００２０】
本発明は請求項３に記載のように、塞ぎ板１における斜状の対辺ｅの縁部をアール状部７とするように構成したから、階段を上がり降りする作業員の頭部衝突の緩和と安全性保持を図ることが出来る。
【図面の簡単な説明】
【００２１】
【図１】本発明の実施形態を表した説明用平面図である。
【図２】本発明の平面図である。
【図３】本発明の斜視図である。
【図４】本発明に用いるクランプ部分を表した平面図である。
【図５】本発明に係る塞ぎ板の勝手違い対応形態を表した斜視図であって、図(イ)と図(ロ)は勝手違いに対応させた状態を表したものである。
【発明を実施するための形態】
【００２２】
図１において、Ａは構築足場内に架設された階段であって、矢印方向に下るように設けられている。  Ｂ及びＣは当該階段Ａの両端側に位置させた足場板、Ｄは当該階段Ａの側部に位置させた足場板であって、作業員は階段を使わない場合は、足場Ｂ、足場Ｄ、足場Ｃの正逆経路を辿って移動する。  そして、足場Ｂと足場Ｄとで形成される隅角部及び足場Ｄの階段側には安全用手摺Ｅを立ち上がらせてある。
【００２３】
この状態において、足場Ｂと足場Ｄとで形成される隅角部は、その上を作業員が通過するにも関わらず、開口部化（深い空間）されているため、この部分に対して、一般社団法人仮設工業会からの危険性の問題視提起がなされている。  本発明は図１に示すように、この部分に台形状を呈する塞ぎ板１を架設することにより、想定される危険の回避目的を果たすように構成したことを特徴とするものである。
【００２４】
本発明に係る塞ぎ板の構成を詳細に説明すれば次の通りである。
【００２５】
１は塞ぎ板であって、図１に示す足場Ｂと足場Ｄとで形成される隅角部を塞ぐことが出来る大きさを具えた台形状を呈するものである。  すなわち、当該塞ぎ板1は、足場Ｂに隣接する対辺ｄ（直角の底角ａに連なる対辺）と、足場Ｄに隣接する下底ｃとで直角な底角ａで隅角部を形成すると共に、下底ｃと並行する上底ｂは、当該下底ｃより短辺とするような台形を呈するものである。
【００２６】
換言すると塞ぎ板１は、一方の底角ａが直角であり、上底ｂが下底ｃより小さく、そして、直角の底角ａに連なる対辺ｄが非昇降口側空間の側縁部に合致可能とする寸法に設定した台形状を呈するものである。
【００２７】
２，２は固定用Ｕ字金具であって、前記した塞ぎ板１の下辺ｃに固設してある。2ａはストッパーボルトであって、これの締着に基づき外れ防止効果を図るためのものである。
【００２８】
３は上記した上辺ｂに対してその全長に亘って固設した鞘管であって、図４に示すように、クランプ取付け用ボルト４が挿通させてあり、当該ボルト４の頭部4ａ側にクランプ５を取付けると共に、その先端に締着用ナット６を螺着することにより、当該クランプ５の安定化を図るように構成してある。
【００２９】
なお、このようなクランプの止め着手段をとることにより、通常はクランプを取り付けた状態で使用に供する。  そして，クランプが破損した場合は、締着用ナット６を外して  ボルト４を抜き取ることにより、当該クランプを外して  市販品として存在する新たなクランプに換える作業を行うことが出来る。
【００３０】
すなわち、クランプ自体は過酷な取扱い等に基づき変形または破壊し易い部材に属し、従来、緊締部と本体が溶接した構造であったり、独自の専用部品であることが多く、これらの破損は、これを取り付けている部材全体の破損とみなして全損的廃棄処分とすることが通例とされた。
これに対して本発明にあっては、上記のような取り換え作業を施すことが出来るように構成したから、安価かつ簡便な修理形態を採ることが出来る。
【００３１】
更に、上記した締着用ナット６の螺着であるが、これを１ｍｍ程度の締め残し代Ｍを設けておくことにより、図３に矢印で示すように、クランプ５の定位置回転が可能化されるように構成してある。  これに依り、階段の上り口が足場のどちら側にきても、クランプ５を反転させることにより(結果的には塞ぎ板１を裏返した状態となる。  図５のイ及びロ参照)、勝手違いに対応することができるように構成してある。    そして、この場合は、塞ぎ板１を表裏何れの面も利用可能とする形態、すなわち、リバーシブル形態とするように構成しておくものする。
【００３２】
また、前記した塞ぎ板１の階段側端縁には、折り曲げ成形、或は別体の縁材固設に基づき、アール状部７とすることにより、階段を降りて来る作業員の衝突時の緩和と安全性保持を成すように構成してある。
【００３３】
本発明は図１に示すように、階段の開口部側に取付けて使用に供する。  この状態で、当該開口部は塞ぎ板1で被われるため、作業員の落下に対する安全性が確保される。  そして、当該開口部側が反対側の場合は、塞ぎ板1を裏返すと共に、クランプ５を図３に矢印で示すように１８０度回転させることにより、その取り付けが何等の齟齬なく達成される。  すなわち、塞ぎ板を単純に裏返しただけであると、クランプの向きが逆となるために作業性が悪くなるが、本発明にあってはクランプ自体も反転させることにより、このような問題発生を回避する。（図５のイ及びロ参照）。
【符号の説明】
【００３４】
１  塞ぎ板
２  固定用Ｕ字金具
３  鞘管
４  クランプ取付け用ボルト
4ａ 頭部
５  クランプ
６  締着用ナット
７  アール状部
Ｍ  締め残し代
【図１】
0006549384.tif 000002
【図２】
0006549384.tif 000003
【図３】
0006549384.tif 000004
【図４】
0006549384.tif 000005
【図５】
0006549384.tif 000006